(57)【特許請求の範囲】
【請求項１】
カラー画像を結像光学系により入射光束を複数の色光に色分解する１次元ブレーズド回折格子より成る色分解手段を介して複数のラインセンサーを同一基板面上に配置した受光手段面上に結像させ、該カラー画像と該受光手段とを相対的に走査させて、該受光手段で該カラー画像を読取る際、
該結像光学系により該色分解手段で色分解された複数の色光が副走査断面内において結像する位置近傍に第１の光学素子を設け、かつ該第１の光学素子の後方で該受光手段前方の光路中に第２の光学素子を設け、
該第１の光学素子と該第２の光学素子とを介して該色分解手段で色分解された複数の色光に基づくカラー画像を該受光手段面上に結像させていることを特徴とするカラー画像読取装置。
【請求項２】
前記１次元ブレーズド回折格子面と前記第２の光学素子面とは副走査断面内において前記第１の光学素子に関して光学的に共役関係にあり、該第１の光学素子面と前記受光手段面とは副走査断面内において該第２の光学素子に関して光学的に共役関係にあることを特徴とする請求項１記載のカラー画像読取装置。
【請求項３】
前記第２の光学素子における共役関係は縮小倍率の結像関係であることを特徴とする請求項２記載のカラー画像読取装置。
【請求項４】
前記第１の光学素子は少なくとも３つの領域に分割されており、該３つの領域における素子はその素子構造が各々互いに異なっていることを特徴とする請求項１記載のカラー画像読取装置。
【請求項５】
前記第１の光学素子は回折光学素子より成ることを特徴とする請求項１、２又は４記載のカラー画像読取装置。
【請求項６】
前記第２の光学素子は回折光学素子より成ることを特徴とする請求項１、２又は３記載のカラー画像読取装置。
【請求項７】
前記１次元ブレーズド回折格子は反射型の１次元ブレーズド回折格子より成ることを特徴とする請求項１記載のカラー画像読取装置。
【請求項８】
前記１次元ブレーズド回折格子は透過型の１次元ブレーズド回折格子より成ることを特徴とする請求項１記載のカラー画像読取装置。
【請求項９】
カラー画像を結像光学系により入射光束を複数の色光に色分解する１次元ブレーズド回折格子より成る色分解手段を介して複数のラインセンサーを同一基板面上に配置した受光手段面上に結像させ、該カラー画像と該受光手段とを相対的に走査させて該受光手段で該カラー画像を読取る際、
該結像光学系により該色分解手段で色分解された複数の色光が副走査断面内において結像する位置近傍に第１の光学素子を設け、かつ該第１の光学素子の後方で該受光手段前方の光路中に第２の光学素子を設け、
該１次元ブレーズド回折格子面と該第２の光学素子面とは副走査断面内において該第１の光学素子に関して光学的に共役関係にあり、該第１の光学素子面と該受光手段面とは副走査断面内において該第２の光学素子に関して光学的に共役関係にあり、
該第１の光学素子と該第２の光学素子とを介して該色分解手段で色分解された複数の色光に基づくカラー画像を該受光手段面上に結像させていることを特徴とするカラー画像読取装置。
【請求項１０】
前記第２の光学素子における共役関係は縮小倍率の結像関係であることを特徴とする請求項９記載のカラー画像読取装置。
【請求項１１】
前記第１の光学素子は少なくとも３つの領域に分割されており、該３つの領域における素子はその素子構造が各々互いに異なっていることを特徴とする請求項９記載のカラー画像読取装置。
【請求項１２】
前記第１の光学素子は回折光学素子より成ることを特徴とする請求項９又は１１記載のカラー画像読取装置。
【請求項１３】
前記第２の光学素子は回折光学素子より成ることを特徴とする請求項９又は１０記載のカラー画像読取装置。
【請求項１４】
前記１次元ブレーズド回折格子は反射型の１次元ブレーズド回折格子より成ることを特徴とする請求項９記載のカラー画像読取装置。
【請求項１５】
前記１次元ブレーズド回折格子は透過型の１次元ブレーズド回折格子より成ることを特徴とする請求項９記載のカラー画像読取装置。
【発明の詳細な説明】
【０００１】
【発明の属する技術分野】
本発明はカラー画像読取装置に関し、特に反射型もしくは透過型の１次元ブレーズド回折格子より成る色分解手段、複数（３つ）のラインセンサー（受光素子）を同一基板面上に設けた受光手段、そして回折光学素子等を利用することにより、副走査方向の読取解像力を低下させることなく、原稿面上のカラー画像情報を高精度に読み取ることができる、例えばカラースキャナやカラーファクシミリ等に好適なカラー画像読取装置に関するものである。
【０００２】
【従来の技術】
従来より原稿面上のカラー画像情報を光学系を介してラインセンサー（ＣＣＤ）面上に結像させて、このときのラインセンサーからの出力信号を利用してカラー画像情報をデジタル的に読取る装置が種々と提案されている。
【０００３】
例えば図８は従来のカラー画像読取装置の光学系の要部概略図である。同図では原稿面８１上のカラー画像からの光束を結像レンズ８９で集光し後述するラインセンサー面上に結像させる際、該光束を３Ｐプリズム８０を介して例えば赤色（Ｒ）、緑色（Ｇ）、青色（Ｂ）の３色に色分解した後、各々のラインセンサー８２，８３，８４面上に導光している。そして各ラインセンサー８２，８３，８４面上に結像したカラー画像を各々副走査方向にライン走査し各色光毎に読取りを行なっている。
【０００４】
図９は従来のカラー画像読取装置の光学系の要部概略図である。同図では原稿面８１上のカラー画像からの光束を結像レンズ８９で集光し後述するラインセンサー面上に結像させる際、該光束を２色性を有する波長選択透過膜が付加された２つの色分解用のビームスプリッター９０，９１を介して３色に対応する３つの光束に分離している。
【０００５】
そして該３つの色光に基づくカラー画像を３つのラインセンサーを同一基板面上に設けた所謂モノリシック３ラインセンサー９２面上に各々結像させている。これによりカラー画像を副走査方向にライン走査し各色光毎に読取りを行なっている。
【０００６】
図１０は図９に示したモノリシック３ラインセンサー９２の説明図であり、該モノリシック３ラインセンサー９２は同図に示すように３つのラインセンサー（ＣＣＤ）９５，９６，９７を互いに平行となるように同一基板面上に有限距離離して配置しており、該ラインセンサー９５，９６，９７面上には各々の色光に基づく不図示の色フィルターが設けられている。
【０００７】
又、各ラインセンサー９５，９６，９７の間隔Ｓ１，Ｓ２は様々な製作上の条件から一般的に例えば０．１〜０．２ｍｍ程度で製作されており、又各単一素子９８の画素幅Ｗ１，Ｗ２は例えば７μｍ×７μｍ、１０μｍ×１０μｍ程度で設定されている。
【０００８】
【発明が解決しようとする課題】
図８に示すカラー画像読取装置では３つの独立のラインセンサーを必要とし、又高精度化が要求され、しかも製作上困難な３Ｐプリズムを必要とする為、装置全体が複雑化し、又高価となってくる。更に結像光束と各ラインセンサーとの合致調整を各々独立に３回行なう必要があり、組立調整が面倒となる等の問題点があった。
【０００９】
又、図９に示すカラー画像読取装置はビームスプリッター９０，９１の板厚をｘとした場合、ラインセンサーの各ライン間の距離は２√２ｘとなる。今、製作上好ましいラインセンサーの各ライン間の距離を０．１〜０．２ｍｍ程度とするとビームスプリッター９０，９１の板厚ｘは３５〜７０μｍ程度となる。
【００１０】
一般にこのような薄い厚さで光学的に平面性を良好に維持したビームスプリッターを構成することは大変難しく、このような厚さのビームスプリッターを用いるとラインセンサー面上に結像させるカラー画像の光学性能が低下してくるという問題点があった。
【００１１】
一方、図１１に示すようにモノリシック３ラインセンサーの中央のライン９６に対する他の２つのライン９５，９７のライン間の距離Ｓ１，Ｓ２は一般的に各反対方向に等距離、かつ副走査方向の画素サイズ（図１０参照）Ｗ２の整数倍になるように設定している。これは次の理由からによる。
【００１２】
即ち、図１１に示すように通常の結像光学系８９のみを用いて上記に示したモノリシック３ラインセンサーでカラー画像の読取りを行なう場合、３つのラインセンサー９５，９６，９７で同時に読取れる原稿面８１上の読取位置は同図に示す如く異なる３つの位置９５´，９６´，９７´となる。
【００１３】
この為、原稿面８１上の任意の位置に対する３色（Ｒ，Ｇ，Ｂ）の各信号成分は同時に読取ることができず、それぞれ３ラインセンサーで読取り後、一致させ合成する必要が生じてくる。
【００１４】
これには３ラインセンサーの各ライン間の距離Ｓ１，Ｓ２を各画素サイズＷ２の整数倍となるように設定し、これに応じた冗長ラインメモリーを具備した上で例えばＢ信号（Ｂ色光に基づく信号成分）に対し各Ｇ，Ｒ信号（Ｇ，Ｒ色光に基づく信号成分）を遅延させることによって比較的容易に３色の合成信号成分を得ている。
【００１５】
従って上記の如く３ラインセンサーの中央のラインセンサー９６に対する他の２つのラインセンサー９５，９７間の距離Ｓ１，Ｓ２は副走査方向の画素サイズＷ２の整数倍となるように設定しているのである。
【００１６】
しかしながら上記に示したカラー画像読取装置において冗長ラインメモリーを３ラインセンサーのライン間距離相当に充当することは高価なラインメモリーを複数列具備しなければならず、これはコスト的にみて極めて不利となり、又装置全体が複雑化してくる等の問題点があった。
【００１７】
本発明は色分解手段として反射型もしくは透過型の１次元ブレーズド回折格子を用い色分解してカラー画像を受光手段としてのモノリシック３ラインセンサーで読取る際、該１次元ブレーズド回折格子と該モノリシック３ラインセンサーとの間の光路中に回折光学素子を配置することにより、該１次元ブレーズド回折格子で分離され回折される±１次回折光成分において各々有限の波長帯域を含む場合に発生する受光手段面上での微小な色のにじみというべき拡がりを緩和し、副走査方向の読取解像力を低下させることなく、又例えばＲ，Ｇ，Ｂの３つの色光をその波長帯域を制限することなく、デジタル的に高精度に読取ることのできるカラー画像読取装置の提供を目的とする。
【００１８】
【課題を解決するための手段】
本発明のカラー画像読取装置は、
（１）  カラー画像を結像光学系により入射光束を複数の色光に色分解する１次元ブレーズド回折格子より成る色分解手段を介して複数のラインセンサーを同一基板面上に配置した受光手段面上に結像させ、該カラー画像と該受光手段とを相対的に走査させて、該受光手段で該カラー画像を読取る際、
該結像光学系により該色分解手段で色分解された複数の色光が副走査断面内において結像する位置近傍に第１の光学素子を設け、かつ該第１の光学素子の後方で該受光手段前方の光路中に第２の光学素子を設け、
該第１の光学素子と該第２の光学素子とを介して該色分解手段で色分解された複数の色光に基づくカラー画像を該受光手段面上に結像させていることを特徴としている。
【００１９】
特に（１−１）  前記１次元ブレーズド回折格子面と前記第２の光学素子面とは副走査断面内において前記第１の光学素子に関して光学的に共役関係にあり、該第１の光学素子面と前記受光手段面とは副走査断面内において該第２の光学素子に関して光学的に共役関係にあることや、
（１−２）  前記第２の光学素子における共役関係は縮小倍率の結像関係であることや、
（１−３）  前記第１の光学素子は少なくとも３つの領域に分割されており、該３つの領域における素子はその素子構造が各々互いに異なっていることや、
（１−４）  前記第１の光学素子は回折光学素子より成ることや、
（１−５）  前記第２の光学素子は回折光学素子より成ることや、
（１−６）  前記１次元ブレーズド回折格子は反射型の１次元ブレーズド回折格子より成ることや、
（１−７）  前記１次元ブレーズド回折格子は透過型の１次元ブレーズド回折格子より成ること、等を特徴としている。
【００２０】
（２）  カラー画像を結像光学系により入射光束を複数の色光に色分解する１次元ブレーズド回折格子より成る色分解手段を介して複数のラインセンサーを同一基板面上に配置した受光手段面上に結像させ、該カラー画像と該受光手段とを相対的に走査させて該受光手段で該カラー画像を読取る際、
該結像光学系により該色分解手段で色分解された複数の色光が副走査断面内において結像する位置近傍に第１の光学素子を設け、かつ該第１の光学素子の後方で該受光手段前方の光路中に第２の光学素子を設け、
該１次元ブレーズド回折格子面と該第２の光学素子面とは副走査断面内において該第１の光学素子に関して光学的に共役関係にあり、該第１の光学素子面と該受光手段面とは副走査断面内において該第２の光学素子に関して光学的に共役関係にあり、
該第１の光学素子と該第２の光学素子とを介して該色分解手段で色分解された複数の色光に基づくカラー画像を該受光手段面上に結像させていることを特徴としている。
【００２１】
特に（２−１）  前記第２の光学素子における共役関係は縮小倍率の結像関係であることや、
（２−２）  前記第１の光学素子は少なくとも３つの領域に分割されており、該３つの領域における素子はその素子構造が各々互いに異なっていることや、
（２−３）  前記第１の光学素子は回折光学素子より成ることや、
（２−４）  前記第２の光学素子は回折光学素子より成ることや、
（２−５）  前記１次元ブレーズド回折格子は反射型の１次元ブレーズド回折格子より成ることや、
（２−６）    前記１次元ブレーズド回折格子は透過型の１次元ブレーズド回折格子より成ること、等を特徴としている。
【００２２】
【発明の実施の形態】
図１、図２は各々本発明の実施形態１の要部側面図（副走査断面図）である。
【００２３】
図中、１は原稿面であり、カラー画像が形成されている。２は結像光学系であり、カラー画像に基づく光束を後述する色分解手段（反射型の１次元ブレーズド回折格子）を介して受光手段（モノリシック３ラインセンサー）面上に結像させている。
【００２４】
３は色分解手段であり、反射型の１次元ブレーズド回折格子（以下、「反射型回折格子」とも称す。）より構成しており、入射光束をラインセンサーの画素の並び方向と直交する方向に所定の色光、例えばＲ（赤）、Ｇ（緑），Ｂ（青）の３原色の色光に分解し反射回折させている。
【００２５】
６０は第１の光学素子としての第１の回折光学素子であり、例えば図６、図７に示すようにフレネル型もしくは量子化された階段状（例えば８段）の所謂バイナリー素子（ＢＯＥ）より成っており、結像光学系２により色分解手段３で色分解された複数の色光が副走査断面内において一旦結像する位置近傍に配置している。６１は第２の光学素子としての第２の回折光学素子であり、例えば第１の回折光学素子６０と同様に図６、図７に示すようにフレネル型もしくは量子化された階段状の所謂バイナリー素子（ＢＯＥ）より成っており、該第１の回折光学素子６０の後方で後述する受光手段４前方の光路中に配置している。
【００２６】
本実施形態においては反射型回折格子３面と第２の回折光学素子６１面とを副走査断面内で第１の回折光学素子６０に関して光学的に共役関係になるように設定しており、又該第１の回折光学素子６０面と後述する受光手段４面とを副走査断面内で該第２の回折光学素子６１に関して光学的に共役関係になるように設定している。更に第２の回折光学素子６１における共役関係が縮小倍率の結像関係となるように設定している。
【００２７】
４は受光手段であり、３つのラインセンサー（ＣＣＤ）８，９，１０を互いに平行となるように同一基板面上に配置した、所謂モノリシック３ラインセンサー（以下、「３ラインセンサー」とも称す。）より成っている。各ラインセンサー８，９，１０面上には各々の色光に基づく不図示の色フィルターが設けられており、又各ラインセンサー８，９，１０のライン間隔は色分解手段３の色分解方向（副走査方向）に対応し各々異なった値に設定している。
【００２８】
本実施形態では原稿面１上のカラー画像を不図示のミラー等より成る走査手段によりライン走査し、該カラー画像からの光束（情報光）を結像光学系２により集光し、反射型回折格子３を介して副走査方向に３つの色光（例えばＲ，Ｇ，Ｂ）に色分解した後に第１の回折光学素子６０面上（１次結像面上）又はその近傍に一旦集光し、結像させた後、第２の回折光学素子６１を介して各色像を各々対応するラインセンサー８，９，１０面上（２次結像面上）に縮小結像させている。そして３ラインセンサー４により各々の色光に基づくカラー画像をデジタル的に読取っている。
【００２９】
上記色分解手段としての反射型回折格子については、Ａｐｐｌｉｅｄ  Ｏｐｔｉｃｓ誌，第１７巻，第１５号，２２７３〜２２７９（１９７８）に示されており、その形状は図３に示す如きものであり、該反射型回折格子３に入射し、反射回折された光束を−１次光、０次光、そして＋１次光の３方向に分離し、結像光学系により集束球面波の光束として各々ラインセンサー面上に結像させている。
【００３０】
ところで図３に示すように反射型回折格子３で分離され反射回折された±１次回折光において、例えば−１次回折光成分では一担分離結像される分離距離をＺとしたとき、
Ｚ＝Ｌ×  ｔａｎ｛  ｓｉｎ−１（±λ／Ｐ＋  ｓｉｎθ０  ）−θ０  ｝    ・・・・（１）
と表わされる。尚（１）式においてλは分離結像される光束の波長、θ０  は反射型回折格子３に入射する光軸上の光束の入射角、Ｐは格子ピッチ、Ｌは光軸上における反射型回折格子３から一担結像面１１までの距離である。
【００３１】
ここで例えば図３に示す反射型回折格子３の階段形状で、階段の各ステップの深さ（格子厚）ｈ１  ＝ｈ２  ＝ｈ３  ＝７５０ｎｍとすると、
【００３２】
【数１】
0003604844.tif 000002
より（ｎ，ｍ）＝（４，２）でλ０  ＝５３０ｎｍ，λ＋１＝６０６ｎｍ，λ−１＝４７１ｎｍとなる。
【００３３】
このとき図３に示すように効率ピーク波長（λ−１＝４７１ｎｍ）の−１次回折光は一担結像面１１上の位置５２に一旦結像するが、この−１次回折光成分内には図４に示す如く約４００ｎｍから５３０ｎｍまでの波長帯域の各波長が含まれている為、（１）式に従ってこの一担結像面１１上では、ある拡がりをもって結像する。例えば半値波長帯域幅での−１次回折光の拡がり量は、例えばＬ＝３５ｍｍ，θ０  ＝４５°，中心格子ピッチＰ＝１６０μｍとして、約２０μｍ程度となる。これはラインセンサー（ＣＣＤ）の１画素サイズが１０μｍ程度ということを考えると、やはり副走査方向の読取り解像力という点で劣化はまぬがれない。＋１次回折光成分も同様の考察から、やはり結像面上での拡がりは無視し得ない。
【００３４】
そこで本実施形態では図１に示す如く第１の回折光学素子６０と第２の回折光学素子６１とを介して３ラインセンサー４面上に、該第１の回折光学素子６０面上で、ある拡がりを持って結像された±１次回折光に基づくカラー画像を縮小再結像させることにより、ラインセンサーの各画素内にその±１次回折光の拡がり量を効率良くおさめている。
【００３５】
ここで例えば前述の分光分離系で第１の回折光学素子６０は、その回折系の焦点距離を５．８４ｍｍとし、反射型回折格子３と第２の回折光学素子６１との間を倍率β６０＝−０．２ｘで縮小共役とする。即ち第１の回折光学素子６０と第２の回折光学素子６１との間の距離Ｌ１  はＬ１  ＝７ｍｍとなる。同様に第２の回折光学素子６１は上記の一担結像面１１での±１次回折光の拡がり量を半減させるならば、第２の回折光学素子６１と３ラインセンサー４との間の距離Ｌ２  をＬ２  ＝３．５ｍｍとして縮小倍率β６１＝−０．５ｘと設定する。
【００３６】
因みに第１の回折光学素子６０は、この例ではその位相関数がφ（γ）＝｛（２π／π）×Ａ×γ２  ｝（Ａ≒０．０８６，γ：光軸からの距離，λ：波長）を満足する回折格子である。同様に第２の回折光学素子６１は、この例において焦点距離２．３３ｍｍ相当の回折パワー（屈折力）を有することとなり、入射光束のＮＡ（開口数）に相当する角度α＝５．４７°、中央の格子ピッチ５２．５μｍ、周辺の格子ピッチ２．１μｍ程度の回折格子となる。
【００３７】
いずれの場合も上記例の如くコンパクトな光学系の配置を前提とすれば、第１、第２の回折光学素子６０，６１の焦点距離は共に非常に小さいものとなり、通常の屈折光学系を持っていては曲率半径等が現実的でない形状となってしまう。従って本実施形態では上述の如く回折光学系をもって当ることによりコンパクトな光学系を達成している。
【００３８】
このように本実施形態においては上述の如く反射型回折格子３で分離され反射回折された各次数の回折光を各々一担結像させた後、その結像面上及びその結像面と３ラインセンサー４面との間の光路中に回折光学素子６０，６１を各々配して、±１次回折光成分において有限の波長帯域を含む場合に発生する結像面上（１次結像面上）での微小な色のにじみというべき拡がりを最終的な３ラインセンサー面上（２次結像面上）に縮小再結像させることにより、各ラインセンサーの画素内にその拡がりをおさめることができ、これにより副走査方向の解像力の低下を防止している。
【００３９】
次に本発明の実施形態２について説明する。
【００４０】
本実施形態において前述の実施形態１と異なる点は第１の回折光学素子を少なくとも３つの領域に分割し、該分割した３つの領域における素子の素子構造を互いに異ならせて構成したことである。その他の構成及び光学的作用は前述の実施形態１と略同様であり、これにより同様な効果を得ている。
【００４１】
即ち、前述の実施形態１では第１の回折光学素子を一体の回折光学素子としたが、０次回折光及び±１次回折光はその一担結像面でもある第１の回折光学素子面上で分離されていることから、該第１の回折光学素子を該分離された各回折光に対応して３つの領域（３つの回折光学素子）に分割し、該分割した３つの領域における素子の素子構造を各々異なる光学仕様に基づいて構成しても本実施形態では前述の実施形態１と同様に適用することができる。
【００４２】
図５は本発明の実施形態３の主要部分の要部側面図（副走査断面図）である。同図において図１に示した要素と同一要素には同符番を付している。
【００４３】
本実施形態において前述の実施形態１と異なる点は色分解手段としての１次元ブレーズド回折格子を透過型の１次元ブレーズド回折格子より構成したことである。その他の構成及び光学的作用は前述の実施形態１と略同様である。
【００４４】
即ち、同図において５４は透過型の１次元ブレーズド回折格子（以下、「透過型回折格子」と称す。）であり、Ａｐｐｌｉｅｄ  Ｏｐｔｉｃｓ誌，第１７巻，第１５号，２２７３〜２２７９（１９７８）に開示されているように、該透過型回折格子５４に入射した入射光束は透過回折されて主に３方向に色分解されている。
【００４５】
本実施形態ではこのように色分解手段として透過型回折格子５４を用い、該透過型回折格子５４と３ラインセンサー４との間の光路中に前述の実施形態１と同様に２種の回折光学素子６０，６１を配することにより、前述の実施形態１と同様な効果を得ている。
【００４６】
尚、回折光学素子を用いることでよく知られるように、その焦点距離ｆと波長λとの間で、ｆ・λ＝一定となる関係があり、これは通常の屈折ガラス系と逆分散を示す。従って前記図１において結像光学系等で発生する残存色収差を逆補正すると共に、第１及び第２の２つの回折光学素子同士で互いの色収差をも補正することができ、これにより広い波長帯域で充分結像性能の高い光学系を得ることができる。
【００４７】
又、実施形態においては色分解手段と受光手段との間の光路中に２つの回折光学素子を配置したが、これは１つの回折光学素子で構成しても本発明は前述の各実施形態と同様に適用することができる。
【００４８】
【発明の効果】
本発明によれば前述の如く色分解手段として反射型もしくは透過型の１次元ブレーズド回折格子を用い色分解してカラー画像を受光手段としてのモノリシック３ラインセンサーで読取る際、該１次元ブレーズド回折格子と該モノリシック３ラインセンサーとの間の光路中に回折光学素子を配置することにより、該１次元ブレーズド回折格子で分離され回折される±１次回折光成分において各々有限の波長帯域を含む場合に発生する受光手段面上での微小な色のにじみというべき拡がりを緩和し、副走査方向の読取解像力を低下させることなく、又例えばＲ，Ｇ，Ｂの３つの色光をその波長帯域を制限することなく、デジタル的に高精度に読取ることができるカラー画像読取装置を達成することができる。
【００４９】
又、本発明によれば通常の３ライン読取りで発生しがちな走査読取りに伴うメカニカルなブレ等に起因する色ズレに対しても原理的にこれを排除することができるカラー画像読取装置を達成することができる。
【図面の簡単な説明】
【図１】本発明の実施形態１の副走査断面図
【図２】本発明の実施形態２の主要部分の副走査断面図
【図３】本発明の原理を説明する為の要部断面図
【図４】ブレーズド回折格子による各次数の分光エネルギー分布を示す説明図
【図５】本発明の実施形態３の主要部分の副走査断面図
【図６】本発明に関わる回折光学素子の要部断面図
【図７】本発明に関わる回折光学素子の要部断面図
【図８】従来のカラー画像読取装置の光学系の要部概略図
【図９】従来のカラー画像読取装置の光学系の要部概略図
【図１０】モノリシック３ラインセンサーの説明図
【図１１】従来のカラー画像読取装置の光学系の要部概略図
【符号の説明】
１    原稿面
２    結像光学系
３，５４    色分解手段（１次元ブレーズド回折格子）
４          受光手段（モノリシック３ラインセンサー）
５，６，７  色光（回折光）
８，９，１０    ラインセンサー
６０        第１の光学素子（回折光学素子）
６１        第２の光学素子（回折光学素子）
【図１】
0003604844.tif 000003
【図２】
0003604844.tif 000004
【図３】
0003604844.tif 000005
【図４】
0003604844.tif 000006
【図５】
0003604844.tif 000007
【図６】
0003604844.tif 000008
【図７】
0003604844.tif 000009
【図８】
0003604844.tif 000010
【図９】
0003604844.tif 000011
【図１０】
0003604844.tif 000012
【図１１】
0003604844.tif 000013